(57)【要約】【課題】表面側の硬度が高くて耐キャスター性を向上できる防音床材を提供する。【解決手段】中密度繊維板の成形原板１を厚さ方向に複数に分割して得られ且つ片面に硬質層２を有する分割板３を硬質層２が表面側になるように配置すると共に複数枚の板を積層一体化した合板基材４の表面側に上記分割板３を積層一体化する。合板基材４の最表面側の第１層４ａの厚さを第１層４ａより下の通常の層の半分程度の厚さと薄くし、合板基材４の裏面側から第２層４ｂまで至るように溝部５を穿設する。【選択図】　　　　図１
2004044315.tif 000002
【特許請求の範囲】
【請求項１】
中密度繊維板の成形原板を厚さ方向に複数に分割して得られ且つ片面に硬質層を有する分割板を硬質層が表面側になるように配置すると共に複数枚の板を積層一体化した合板基材の表面側に上記分割板を積層一体化し、合板基材の最表面側の第１層の厚さを第１層より下の通常の層の半分程度の厚さと薄くし、合板基材の裏面側から第２層まで至るように溝部を穿設して成ることを特徴する防音床材。
【請求項２】
中密度繊維板の成形原板を厚さ方向に複数に分割した分割板を合板基材の裏面側にも積層一体化したことを特徴する請求項１記載の防音床材。
【請求項３】
中密度繊維板の成形原板を厚さ方向に１／４割に分割して得られた分割板のうち硬質層を含む分割板を合板基材の表面側に積層一体化すると共に硬質層を含まない分割板を合板基材の裏面側に積層一体化して成ることを特徴する請求項２記載の防音床材。
【発明の詳細な説明】
【０００１】
【発明の属する技術分野】
本発明は、床上をキャスターで移動してもキャスターからの荷重に耐えられる強度を有する耐キャスター性のある防音床材の構造に関するものである。
【０００２】
【従来の技術及び発明が解決しようする課題】
一般に、防音床材は複数枚の板を積層した合板基材の表面側に木質単板を貼り、合板基材の裏面から合板基材に溝部を穿設し、合板基材の裏面にクッション材を積層一体化して形成してある。
【０００３】
ところが、木質の合板基材のみを使用した防音床材は、表面側の硬度が足りなく、床上でキャスターを使用したり、物を落としたりしたときの凹み傷ができるおそれがあって外観が見苦しくなるという問題があった。またキャスターを長い期間使用すると合板剥離や単板剥離の発生が見られる場合もあった。
【０００４】
本発明は上記の点に鑑みてなされたものであり、表面側の硬度が高くて耐キャスター性を向上できる防音床材を提供することを課題とするものである。
【０００５】
【課題を解決するための手段】
上記課題を解決するための本発明の防音床材Ａは、中密度繊維板の成形原板１を厚さ方向に複数に分割して得られ且つ片面に硬質層２を有する分割板３を硬質層２が表面側になるように配置すると共に複数枚の板を積層一体化した合板基材４の表面側に上記分割板３を積層一体化し、合板基材４の最表面側の第１層４ａの厚さを第１層４ａより下の通常の層の半分程度の厚さと薄くし、合板基材４の裏面側から第２層４ｂまで至るように溝部５を穿設して成ることを特徴とする。上記のように表面側に中密度繊維板よりなる硬質部分を合板基材４の表面に設けてあることにより、表面が硬質で十分な耐キャスター性を有しており、凹み傷が付いたりしなくて外観が見苦しくならない。また中密度繊維板の成形原板１は最初から薄く作り難いが、中密度繊維板の成形原板１を厚さ方向に複数に分割して得られ且つ片面に硬質層２を有する分割板３を用いていることにより、所望の厚さの中密度繊維板を容易に得ることでき、防音床材Ａの厚さを必要以上に厚くすることなく耐キャスター性のある防音床材Ａを形成できる。また合板基材４の最表面側の第１層４ａの厚さを第１層４ａより下の通常の層の半分程度の厚さと薄くし、合板基材４の裏面側から第２層４ｂまで至るように溝部５を穿設したことにより、合板基材４に柔軟性を持たせることができて床下地に対して馴染みやすくできると共に防音性を持たせることができる。
【０００６】
また中密度繊維板の成形基板１を厚さ方向に複数に分割した分割板３を合板基材４の裏面側にも積層一体化したことを特徴することも好ましい。表面と同じように裏面側にも分割板３を積層一体化したことにより、厚さ方向の層を表裏で対称にでき、防音床材Ａに反りが発生したりしにくくできる。
【０００７】
また中密度繊維板の成形基板１を厚さ方向に１／４割に分割して得られた分割板３のうち硬質層２を含む分割板３を合板基材４の表面側に積層一体化すると共に硬質層２を含まない分割板３を合板基材４の裏面側に積層一体化して成ることを特徴することも好ましい。この場合、硬質層２を含まない分割板３を裏面側に用いることでこの分割板３を廃棄することなく有効利用でき、材料ロスの低減とコストダウンが可能になる。
【０００８】
【発明の実施の形態】
図１に防音床材Ａの一例を示す。防音床材Ａの合板基材４は板を奇数の複数枚積層一体化して形成されている。本例の合板基材４は５プライの合板であり、上から第１層４ａ、第２層４ｂ、第３層４ｃ、第４層４ｄ及び第５層４ｅの５つの層で構成されている。第１層４ａ、第３層４ｃ及び第５層５ｅは繊維の方向が平行であり、第２層４ｂ及び第４層４ｄの繊維の方向は上記の繊維方向と直交する方向である。また第１層４ａ及び第５層４ｅは他の層４ｂ，４ｃ，４ｄに比べて厚さが薄く、約半分程度厚さである。上記第１層４ａや第５層４ｂは例えば厚さが０．３〜０．６ｍｍ程度であり、第２層４ｂ、第３層４ｃ及び第４層４ｄの合計の厚さは５．９５〜７．５ｍｍ程度である。この合板基材４は厚さ方向に対称な層構成となっており、反りを生じたりしにくいようにバランスをとってある。
【０００９】
この合板基材４の表面側には中密度繊維板が積層一体化されるのであるが、本発明の場合、中密度繊維板の成形原板１を厚さ方向に複数に分割した中密度繊維板の分割板３を積層一体化してある。中密度繊維板の成形原板１は製造の都合上、
最初から薄く作りづらいので凡そ２．７ｍｍ程度の成形原板１を厚さ方向に分割して分割板３の状態で用いるようになっている。中密度繊維板の成形原板１は合板に比べて十分に硬質であるが、表面に比べて内部が徐々に軟らかくなっており、図２（ａ）のように硬質層２の部分と軟質層６の部分がある。この成形原板１を厚さ方向に半割り（２分割）したのが図２（ｂ）の状態であり、片面に硬質層２のある２つの分割板３が形成される。またこの成形原板１を１／４割り（４分割）下のが図２（ｃ）の状態であり、片面に硬質層２のある２つの分割板３と硬質層２のない２つの分割板３が形成される。
【００１０】
図１の例の場合、上記のように分割した中密度繊維板の分割板３のうち、片面の硬質層２のある分割板３が硬質層２を上にして貼り合わせて積層一体化されている。この分割板３の上には表面化粧単板７が単板プレスにて積層一体化され、必要に応じて塗装を施してある。上記中密度繊維板の分割板３の厚さは例えば０．７〜１．３５ｍｍであり、表面化粧単板７の厚さは０．２〜０．５ｍｍである。このように分割板３及び表面化粧単板７を積層一体化した状態で合板基材４の裏面から複数本の溝部５が平行に穿設してある。この溝部５を穿設するとき合板基材４の裏面から第２層４ｂまで穿設してある。また溝部５を穿設するとき第１層の繊維方向と溝部５の長手方向とが直交するように穿設してある。この溝部５を穿設した後に合板基材４の裏面側には不織布、発泡ウレタン等のクッション材８を貼り付けてある。
【００１１】
上記のように防音床材Ａが形成され、表面に中密度繊維板の硬質部が形成されているために耐キャスター性を向上でき、凹み傷が付いたりしなくて外観が見苦しくならない。中密度繊維板の成形原板１を厚さ方向に複数に分割して得られ且つ片面に硬質層２を有する分割板３を用いていることにより、所望の厚さの中密度繊維板を容易に得ることでき、防音床材Ａの厚さを必要以上に厚くすることなく耐キャスター性のある防音床材Ａを形成できる。また合板基材４の最表面側の第１層４ａの厚さを第１層４ａより下の通常の層の半分程度の厚さと薄くし、合板基材４の裏面側から第２層４ｂまで至るように溝部５を穿設したことにより、合板基材４に柔軟性を持たせることができて床下地に対して馴染みやすくできると共に防音性を持たせることができる。また第１層４ａの繊維方向と溝部５の長手方向とを直交させることにより溝部５により柔軟性を持たせてあっても割れを発生しにくくできる。
【００１２】
次に図３に示す例についてい述べる。本例も上記例と基本的に同じであり、異なる点だけを主に述べる。本例の場合も、合板基材１の上に硬質部２のある分割板３が積層一体化されると共に表面化粧単板７が積層一体化されるが、本例では合板基材１の裏面側にも分割板３を貼り合わせて積層一体化してある。この裏面側に貼り合わせる分割板３は表面側に貼り合わせる分割板３と同じ厚さで例えば０．７〜１．３ｍｍである。このように裏面側に分割板３を貼り合わせた状態で裏面側の分割板３から合板基材１に複数の溝部５を平行に穿設してある。この溝部５も合板基材１の第２層４ｂまで穿設してある。溝部５を穿設した後に合板基材４の裏面側には不織布、発泡ウレタン等のクッション材８を貼り付けてある。この防音床材Ａの場合、裏面側にも中密度繊維板の分割板３があるので、基材部分の表裏が対称になり、防音床材Ａに反りが発生したりしにくくできる。
【００１３】
また図３の例のもので中密度繊維板の成形原板１を１／４割りした分割板３を用いる場合、硬質部２のある分割板３を合板基材１の表面側に積層一体化し、硬質部２のない分割板３を合板基材１の裏面側に積層一体化することが好ましい。このようにすると、硬質部２のない分割板を廃棄することなく裏面側に貼り付けて使用できて材料ロスをなくすことができる。
【００１４】
【発明の効果】
本発明の請求項１の発明は、叙述の如く表面側に中密度繊維板よりなる硬質部分を合板基材の表面に設けてあるので、表面が硬質で十分な耐キャスター性を有しており、凹み傷が付いたりしなくて外観が見苦しくならないものであり、また、中密度繊維板の成形原板を厚さ方向に複数に分割して得られ且つ片面に硬質層を有する分割板を用いているので、所望の厚さの中密度繊維板を容易に得ることができ、防音床材の厚さを必要以上に厚くすることなく耐キャスター性のある防音床材を形成できるものであり、また合板基材の最表面側の第１層の厚さを第１層より下の通常の層の半分程度の厚さと薄くし、合板基材の裏面側から第２層まで至るように溝部を穿設したので、合板基材に柔軟性を持たせることができて床下地に対して馴染みやすくできると共に防音性を持たせることができるものである。
【００１５】
また本発明の請求項２の発明は、請求項１において、中密度繊維板の成形基板を厚さ方向に複数に分割した分割板を合板基材の裏面側にも積層一体化したので、表面と同じように裏面側にも分割板を積層一体化して厚さ方向の層を表裏で対称にでき、防音床材に反りが発生したりしにくくできるものである。
【００１６】
また本発明の請求項３の発明は、請求項２において、中密度繊維板の成形基板１を厚さ方向に１／４割に分割して得られた分割板のうち硬質層を含む分割板を合板基材の表面側に積層一体化すると共に硬質層を含まない分割板を合板基材の裏面側に積層一体化しているので、硬質層を含まない分割板を裏面側に用いることでこの分割板を廃棄することなく有効利用でき、材料ロスの低減とコストダウンが可能になるものである。
【図面の簡単な説明】
【図１】本発明の防音床材の一例の要部の断面図である。
【図２】（ａ）（ｂ）（ｃ）は同上の中密度繊維板の成形原板を分割する状態を説明する説明図である。
【図３】同上の他の例の要部の断面図である。
【符号の説明】
Ａ　防音床材
１　中密度繊維板の成形原板
２　硬質層
３　中密度繊維板の分割板
４　合板基材
５　溝部
【図１】
2004044315.tif 000003
【図２】
2004044315.tif 000004
【図３】
2004044315.tif 000005